(57)【要約】【課題】配信先で適切に画像データを再現することができるようにしたネットワークファクシミリ装置を提供することを目的としている。【解決手段】受信したファイルを転送する際、ファクシミリ画情報を一旦元の画像データへ復号化し、元のファクシミリ画情報と同一の符号化方式で再符号化した後に、転送している。これにより、ネットワークファクシミリ装置が備えている符号化復号化手段のデータエラーリカバリ機能を活用した上で、ファクシミリ画情報を転送でき、したがって、ユーザは、より画質の良好な画像を閲覧することができるという効果を得る。【選択図】          図６
2004320436.tif 000002
【特許請求の範囲】
【請求項１】
公衆網より受信したファクシミリ画情報を、ネットワークを介し、他の配信用装置へ転送する着信転送機能を備えたネットワークファクシミリ装置において、
受信したファクシミリ画情報を一旦元の画像データへ復号化し、その画像データを再符号化した後に、その再符号化して形成したファクシミリ画情報を上記配信用装置へ転送することを特徴とするネットワークファクシミリ装置。
【請求項２】
公衆網より受信したファクシミリ画情報を、ネットワークを介し、他の配信用装置へ転送する着信転送機能を備えたネットワークファクシミリ装置において、
非ＥＣＭモードで受信した場合、ファクシミリ画情報を一旦元の画像データへ復号化し、その画像データを再符号化した後に、その再符号化して形成したファクシミリ画情報を上記配信用装置へ転送することを特徴とするネットワークファクシミリ装置。
【請求項３】
公衆網より受信したファクシミリ画情報を、ネットワークを介し、他の配信用装置へ転送する着信転送機能を備えたネットワークファクシミリ装置において、
受信エラーを生じている場合、ファクシミリ画情報を一旦元の画像データへ復号化し、その画像データを再符号化した後に、その再符号化して形成したファクシミリ画情報を上記配信用装置へ転送することを特徴とするネットワークファクシミリ装置。
【発明の詳細な説明】
【０００１】
【発明の属する技術分野】
本発明は、公衆網より受信したファクシミリ画情報を、ネットワークを介し、他の配信用装置へ転送する着信転送機能を備えたネットワークファクシミリ装置に関する。
【０００２】
【従来の技術】
近年、公衆網より受信したファクシミリ画情報を、ネットワークを介し、他の配信用装置へ転送する着信転送機能を備えたネットワークファクシミリ装置が実用されている（特許文献１参照）。
【０００３】
【特許文献１】
特開平１１−３４１２４７号公報
【０００４】
さて、このようなネットワークファクシミリ装置を用いる場合、ユーザーはパーソナルコンピュータ装置を使って、配信用装置に保存された受信文書を各種ユーティリティを使い閲覧し、必要な文書だけを他の複合機やプリンターから印刷するというようなことを行っている。
【０００５】
【発明が解決しようとする課題】
ところで、このような場合に、ネットワークファクシミリ装置から圧縮データの形で配信された場合、配信用装置で元の画像データへ復号化する時に、エラーが発生して画像データを展開できないことがある。
【０００６】
これは、受信時にエラーのあったデータをそのまま配信し、配信先のサーバーでの復号化処理の際に、エラーのリカバリー処理が正しくできなかった場合である。
【０００７】
一般的に、ネットワークファクシミリ装置ではＭＨ，ＭＲ符号化された画情報でエラーが発生した場合、規定のエラーライン数を検出するまではリカバリー処理を行って復号化処理を行う。しかし、特にパーソナルコンピュータ装置等で使われる復号化処理ソフトウエアでは、リカバリー処理が正しく行われないようなものも多い。
【０００８】
また、ネットワークファクシミリ装置では通常、過去に発生した様々なイリーガルなエラーパターンにも対応できるように処理しているものが多いが、このようなイリーガルなエラーに対しては、パーソナルコンピュータ装置等で使われる復号化処理ソフトウエアでは、対応できないものがほとんどである。
【０００９】
本発明は、かかる実情に鑑みてなされたものであり、配信先で適切に画像データを再現することができるようにしたネットワークファクシミリ装置を提供することを目的としている。
【００１０】
【課題を解決するための手段】
本発明は、公衆網より受信したファクシミリ画情報を、ネットワークを介し、他の配信用装置へ転送する着信転送機能を備えたネットワークファクシミリ装置において、受信したファクシミリ画情報を一旦元の画像データへ復号化し、その画像データを再符号化した後に、その再符号化して形成したファクシミリ画情報を上記配信用装置へ転送するようにしたものである。
【００１１】
また、公衆網より受信したファクシミリ画情報を、ネットワークを介し、他の配信用装置へ転送する着信転送機能を備えたネットワークファクシミリ装置において、非ＥＣＭモードで受信した場合、ファクシミリ画情報を一旦元の画像データへ復号化し、その画像データを再符号化した後に、その再符号化して形成したファクシミリ画情報を上記配信用装置へ転送するようにしたものである。
【００１２】
また、公衆網より受信したファクシミリ画情報を、ネットワークを介し、他の配信用装置へ転送する着信転送機能を備えたネットワークファクシミリ装置において、受信エラーを生じている場合、ファクシミリ画情報を一旦元の画像データへ復号化し、その画像データを再符号化した後に、その再符号化して形成したファクシミリ画情報を上記配信用装置へ転送するようにしたものである。
【００１３】
【発明の実施の形態】
以下、添付図面を参照しながら、本発明の実施の形態を詳細に説明する。
【００１４】
図１は、本発明の一実施例にかかるネットワークシステムを示している。
【００１５】
同図において、ローカルエリアネットワークＬＡＮには、複数のワークステーション装置ＷＳ１〜ＷＳｎ、および、ネットワークファクシミリ装置ＦＸが接続されているとともに、ルータ装置ＲＴを介してインターネットへ接続されている。したがって、ワークステーション装置ＷＳ１〜ＷＳｎ、および、ネットワークファクシミリ装置ＦＸは、インターネットを介し、他の適宜な端末装置との間でデータをやりとりすることができる。
【００１６】
また、ワークステーション装置ＷＳ１〜ＷＳｎには、装備されているストレージ手段の一部に共有領域を設けて他の端末装置（例えば、ネットワークファクシミリ装置ＦＸ）からアクセスできるようにするファイル共有機能や、ファクシミリ画情報を作成および表示出力するファクシミリアプリケーションソフトウェア、および、ローカルエリアネットワークＬＡＮを介して種々のデータのやりとりを行うための種々のソフトウェアなどの種々のプログラムが導入されており、特定のユーザにより使用されるものである。ここで、特定のユーザは、一人または複数人のユーザであってよい。
【００１７】
また、ネットワークファクシミリ装置ＦＸは、ワークステーション装置ＷＳ１〜ＷＳｎに設けられている共有領域へアクセスして適宜にデータを保存することのできる共有領域アクセス機能、および、アナログ公衆回線網ＰＳＴＮに接続し、この公衆網を伝送路として用いてグループ３ファクシミリ伝送手順による画情報伝送を行う伝送機能を備えている。
【００１８】
図２は、ネットワークファクシミリ装置ＦＸの構成例を示している。
【００１９】
同図において、システム制御部１は、このネットワークファクシミリ装置ＦＸの各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワークファクシミリ装置ＦＸに固有な各種の情報を記憶するためのものであり、時計回路４は、現在時刻情報を出力するものである。
【００２０】
スキャナ５は、所定の解像度で原稿画像を読み取るためのものであり、プロッタ６は、所定の解像度で画像を記録出力するためのものであり、操作表示部７は、このネットワークファクシミリ装置ＦＸを操作するためのもので、各種の操作キー、および、各種の表示器からなる。
【００２１】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００２２】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２３】
網制御装置１１は、このネットワークファクシミリ装置ＦＸをアナログ公衆回線網ＰＳＴＮに接続するためのものであり、自動発着信機能を備えている。
【００２４】
ローカルエリアネットワークインターフェース回路１２は、このネットワークファクシミリ装置ＦＸをローカルエリアネットワークＬＡＮに接続するためのものであり、ローカルエリアネットワーク伝送制御部１３は、ローカルエリアネットワークＬＡＮを介して、他のデータ端末装置との間で種々のデータをやりとりするための各種所定のプロトコルスイートの通信制御処理を実行するためのものである。
【００２５】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、および、ローカルエリアネットワーク伝送制御部１３は、内部バス１４に接続されており、これらの各要素間でのデータのやりとりは、主としてこの内部バス１４を介して行われている。
【００２６】
また、網制御装置１１とグループ３ファクシミリモデム１０との間のデータのやりとりは、直接行なわれている。
【００２７】
また、ネットワークファクシミリ装置ＦＸには、図３に示すように、受信した画情報を転送する動作モードである着信転送モードを行うか否かを記憶するための着信転送モードフラグ、および、着信転送モード時に、画情報ファイルを転送する宛先をあらわすフォルダ名を記憶するための転送先フォルダ名が保存されている。
【００２８】
この着信転送モードフラグは、ユーザが操作表示部７を適宜に操作することでオンオフされる。また、転送先フォルダ名としては、いずれかのワークステーション装置ＷＳ１〜ＷＳｎに設けられている共有領域のフォルダ名が記憶される。また、フォルダ名の入力は、ユーザが操作表示部７を適宜に操作することで行うことができる。
【００２９】
図４は、ワークステーション装置ＷＳ（ＷＳ１〜ＷＳｎ）の構成例を示している。
【００３０】
同図において、ＣＰＵ（中央処理装置）２１は、このワークステーション装置ＷＳの動作制御を行うものであり、ＲＯＭ（リード・オンリ・メモリ）２２は、ＣＰＵ２１が起動時に実行するプログラムや必要なデータ等を記憶するためのものであり、ＲＡＭ（ランダム・アクセス・メモリ）２３は、ＣＰＵ２１のワークエリア等を構成するためのものである。
【００３１】
キャラクタジェネレータ２４は、図形文字の表示データを発生するためのものであり、時計回路２５は、現在日時情報を出力するためのものであり、ローカルエリアネットワークインターフェース回路２６は、このワークステーション装置ＷＳをローカルエリアネットワークＬＡＮに接続するためのものであり、ローカルエリアネットワーク伝送制御部２７は、ローカルエリアネットワークＬＡＮを介して、他のデータ端末装置との間で種々のデータをやりとりするための各種所定のプロトコルスイートの通信制御処理を実行するためのものである。
【００３２】
磁気ディスク装置２８は、種々のアプリケーションプログラム、ワークデータ、ファイルデータ、画情報データなどの種々のデータを記憶するためのものであり、ＣＲＴ画面表示装置２９は、このワークステーション装置ＷＳを操作するための画面を表示するためのものであり、表示制御部３０は、ＣＲＴ画面表示装置２９の表示内容を制御するためのものである。
【００３３】
キーボード装置３１は、このワークステーション装置ＷＳに種々のキー操作を行うためのものであり、画面指示装置３２は、ＣＲＴ画面表示装置２８の任意の座標を指示する等の操作作業を行うためのものであり、入力制御部３３は、キーボード装置３１および画面指示装置３２の入力情報を取り込む等するためのものである。
【００３４】
これらのＣＰＵ２１、ＲＯＭ２２、ＲＡＭ２３、キャラクタジェネレータ２４、時計回路２５、ローカルエリアネットワーク伝送制御部２７、磁気ディスク装置２８、表示制御部３０、および、入力制御部３３は、バス３４に接続されており、これらの各要素間のデータのやりとりは、主としてこのバス３４を介して行われる。
【００３５】
ここで、本実施例において、基本的には、ローカルエリアネットワークＬＡＮに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。
【００３６】
また、ワークステーション装置ＷＳ１〜ＷＳｎに設けた共有領域へのアクセスの際には、ＳＭＢ（Ｓｅｒｖｅｒ  Ｍｅｓｓａｇｅ  Ｂｌｏｃｋ）プロトコルが用いられる。
【００３７】
また、ＴＣＰ／ＩＰなどの通信プロトコルなどについては、それぞれＩＥＴＦから発行されているＲＦＣ文書により規定されている。例えば、ＴＣＰはＲＦＣ７９３、ＩＰはＲＦＣ７９３などでそれぞれ規定されている。
【００３８】
また、ＳＭＢは、マイクロソフト社のＷｉｎｄｏｗｓ  ＮＴ／ＸＰやＷｉｎｄｏｗｓ  ９５／９８／２０００など（以下、「Ｗｉｎｄｏｗｓ系のＯＳ」という）でネットワークを通じてファイル共有やプリンタ共有を実現するプロトコルであり、下位のプロトコルとしてＮｅｔＢＩＯＳを使う、いわゆるＭＳ−ＤＯＳ時代のＬＡＮ  Ｍａｎａｇｅｒから使われているアプリケーションソフトである。ＳＭＢプロトコルはマイクロソフト社が主に開発し、現在でも改良を続けている独自のプロトコルであるが、これを正式にドキュメント化して、インターネット上などでファイル共有サービスとして利用できるようにしたものをＣＩＦＳ（Ｃｏｍｍｏｎ  Ｉｎｔｅｒｎｅｔ  Ｆｉｌｅ  Ｓｙｓｔｅｍ）プロトコルと呼び、その仕様が公開されている。ＵＮＩＸ系のＯＳ環境（サンマイクロシステム社のＳｏｌａｌｉｓや、Ｌｉｎｕｘ、ＦｒｅｅＢＳＤおよびＮｅｔ−ＢＳＤ等のいわゆるＰＣ−Ｕｎｉｘ）では、このＳＭＢ／ＣＩＦＳプロトコルを実装したファイル／プリンタ共有サービスであるＳａｍｂａが利用できる。
【００３９】
なお、「Ｕｎｉｘ」は、Ｔｈｅ  Ｏｐｅｎ  Ｇｒｏｕｐ  Ｌｔｄ．が独占的にライセンスしている米国ならびに他の国における登録商標である。
【００４０】
そして、ネットワークファクシミリ装置ＦＸは、読み取った原稿画像をアナログ公衆回線網ＰＳＴＮを介して他のグループ３ファクシミリ装置へ送信する。また、着信転送モードがセットされている場合には、アナログ公衆回線網ＰＳＴＮを介して他のグループ３ファクシミリ装置より受信した画情報を、指定されている転送先フォルダへ転送する。また、着信転送モードがセットされていない場合には、アナログ公衆回線網ＰＳＴＮを介して他のグループ３ファクシミリ装置より受信した画情報を、プロッタ６より記録出力するようにしている。
【００４１】
また、ワークステーション装置ＷＳ１〜ＷＳｎは、例えば、Ｗｉｎｄｏｗｓ系のＯＳがインストールされ、上述したＳＭＢによるファイルサーバ機能により、あらかじめ登録されている共有領域に対して、外部の端末装置からアクセス（ファイルの保存）ができるようにしている。
【００４２】
通常、ワークステーション装置ＷＳ１〜ＷＳｎに、Ｗｉｎｄｏｗｓ系のＯＳをインストールしておくだけで、このファイル共有機能を利用することができるので、ファイル共有機能を備えるために他の特別なソフトウェアをインストールする必要がなく、非常に便利である。
【００４３】
図５は、アナログ公衆回線網ＰＳＴＮを介して、他のグループ３ファクシミリ装置より画情報を受信する場合の、ネットワークファクシミリ装置ＦＸの処理の一例を示している。
【００４４】
着信検出すると（処理１０１）、着信応答し（処理１０２）、相手端末との間で所定のグループ３ファクシミリ受信処理を行い（処理１０３）、画情報を受信して画像蓄積装置９に一旦保存する。画情報の受信動作が終了すると、回線を復旧する（処理１０４）。
【００４５】
次に、受信画情報の転送条件を検査する（処理１０５）。この場合、着信転送モードフラグがセットされているか否かを調べる。着信転送モードフラグがセットされている場合であり、転送することが判定された場合（判断１０６の結果がＹＥＳ）、対応する転送先情報を取得し（処理１０７）、ローカルエリアネットワークＬＡＮを介して、受信画情報を処理１０７で取得した転送先へ転送保存する（処理１０８）。このとき、ファイル名としては、受信画情報を特定できる内容のもの（例えば、受信日時等）を付与する。
【００４６】
図６は、ファイル転送処理（処理１０８）の一例を示している。
【００４７】
まず、指定されたファクシミリ画情報（圧縮データ）を読み出し（処理２０１）、符号化復号化部８により、元の画像データへ復号化して、画像蓄積装置９に設けたバッファ領域へ一旦保存する（処理２０２）。
【００４８】
次いで、符号化復号化部８により、バッファ領域に保存した画像データを再度符号化圧縮し、転送用のファクシミリ画情報を作成する（処理２０３）。また、このときの符号化方式は、元のファクシミリ画情報の符号化方式と同一のものを適用する。
【００４９】
そして、処理２０３で作成したファクシミリ画情報へ、上述したような方法でファイル名を付与し（処理２０４）、転送先フォルダ名に保存されている転送先フォルダへ、ＳＭＢ転送機能を用いて、転送する（処理２０５）。
【００５０】
このようにして、本実施例では、着信転送モードがセットされている場合には、その転送先に応じたワークステーション装置ＷＳ１〜ＷＳｎの共有領域に、受信画情報を転送するようにしているので、例えば、電子メールを用いて画情報を転送する場合のように、メールサーバ装置等の特別な機材を必要としないので、非常に簡便にネットワークファクシミリ装置ＦＸを用いることができ、非常に便利である。
【００５１】
また、ファイルを転送する際、ファクシミリ画情報を一旦元の画像データへ復号化し、元のファクシミリ画情報と同一の符号化方式で再符号化した後に、転送している。これにより、ネットワークファクシミリ装置ＦＸが備えている符号化復号化部８のデータエラーリカバリ機能を活用した上で、ファクシミリ画情報を転送でき、したがって、ワークステーション装置ＷＳ１〜ＷＳｎに設けた共有領域には、よりエラーの少ない状態でファクシミリ画情報を保存することができ、その結果、その共有領域をアクセスしたワークステーション装置ＷＳ１〜ＷＳｎのユーザは、より画質の良好な画像を閲覧することができる。
【００５２】
図７は、ファイル転送処理（処理１０８）の他の例を示している。
【００５３】
まず、そのときの受信動作が非ＥＣＭモードの通信であったかどうかを調べる（判断３０１）。判断３０１の結果がＹＥＳになるときには、受信エラーが含まれている場合がある。そこで、指定されたファクシミリ画情報（圧縮データ）を読み出し（処理３０２）、符号化復号化部８により、元の画像データへ復号化して、画像蓄積装置９に設けたバッファ領域へ一旦保存する（処理３０３）。
【００５４】
次いで、符号化復号化部８により、バッファ領域に保存した画像データを再度符号化圧縮し、転送用のファクシミリ画情報を作成する（処理３０４）。また、このときの符号化方式は、元のファクシミリ画情報の符号化方式と同一のものを適用する。
【００５５】
そして、処理３０４で作成したファクシミリ画情報へ、上述したような方法でファイル名を付与し（処理３０５）、転送先フォルダ名に保存されている転送先フォルダへ、ＳＭＢ転送機能を用いて、転送する（処理３０６）。
【００５６】
また、判断３０１の結果がＮＯになるときには、指定されたファクシミリ画情報（圧縮データ）を読み出し（処理３０７）、上述したような方法でファイル名を付与し（処理３０８）、転送先フォルダ名に保存されている転送先フォルダへ、ＳＭＢ転送機能を用いて、転送する（処理３０９）。
【００５７】
このようにして、本実施例では、非ＥＣＭモードで受信した場合にのみ、ファクシミリ画情報の再符号化を行った後に、指定されたフォルダへ転送するので、ＥＣＭモードで受信した場合には、処理時間を短縮することができ、より効率の良い通信動作が可能となる。
【００５８】
図８は、ファイル転送処理（処理１０８）のさらに他の例を示している。
【００５９】
まず、そのときの受信動作時に、エラー終了しない程度の受信エラーあったかどうかを調べる（判断４０１）。判断４０１の結果がＹＥＳになるときには、指定されたファクシミリ画情報（圧縮データ）を読み出し（処理４０２）、符号化復号化部８により、元の画像データへ復号化して、画像蓄積装置９に設けたバッファ領域へ一旦保存する（処理４０３）。これにより、符号化復号化部８のエラーリカバリ機能が作用して、ファクシミリ画情報に含まれていたデータエラーが解消された状態で、画像データが作成される。
【００６０】
次いで、符号化復号化部８により、バッファ領域に保存した画像データを再度符号化圧縮し、転送用のファクシミリ画情報を作成する（処理４０４）。また、このときの符号化方式は、元のファクシミリ画情報の符号化方式と同一のものを適用する。
【００６１】
そして、処理４０４で作成したファクシミリ画情報へ、上述したような方法でファイル名を付与し（処理４０５）、転送先フォルダ名に保存されている転送先フォルダへ、ＳＭＢ転送機能を用いて、転送する（処理４０６）。
【００６２】
また、判断４０１の結果がＮＯになるときには、指定されたファクシミリ画情報（圧縮データ）を読み出し（処理４０７）、上述したような方法でファイル名を付与し（処理４０８）、転送先フォルダ名に保存されている転送先フォルダへ、ＳＭＢ転送機能を用いて、転送する（処理４０９）。
【００６３】
このようにして、本実施例では、軽微な受信エラーが発生している場合には、符号化復号化部８のエラーリカバリ機能を利用して、ファクシミリ画情報のエラーを解消するようにしているので、転送されたファクシミリ画情報を閲覧するときに、表示される画像が乱れるような事態を回避することができる。
【００６４】
なお、上述した実施例では、ファクシミリ通信機能としてグループ３ファクシミリ通信機能を備えたネットワークファクシミリ装置について本発明を適用した場合について説明したが、グループ４ファクシミリ通信機能を備えたネットワークファクシミリ装置についても、本発明を同様にして適用することができる。また、同様な通信機能を備えた複合機（複写機、スキャナ装置、プリンターの機能を複合して備えたもの）についても、本発明を同様にして適用することができる。
【００６５】
また、上述した実施例では、ＳＭＢプロトコルを用いて、ワークステーション装置ＷＳ１〜ＷＳｎに設けた共有領域に保存するようなネットワーク通信システムについて、本発明を適用したが、例えば、ファイルサーバ装置を設け、ＦＴＰ等の通信プロトコルにより、共有領域にファクシミリ画情報を保存するようなネットワーク通信システムについても、本発明を同様にして適用することができる。また、電子メールを用いて配信する場合にも、本発明を同様にして適用することができる。
【００６６】
また、上述した実施例では、転送動作として、着信転送モードを適用する場合について説明したが、例えば、着信転送動作を行う送信元の端末識別情報を登録し、登録された送信元より画情報を受信した場合のみ転送動作を行う場合についても、同様にして適用することができる。また、その場合、それぞれの端末識別情報について、異なる転送先を指定することもできる。
【００６７】
【発明の効果】
以上説明したように、本発明によれば、受信したファイルを転送する際、ファクシミリ画情報を一旦元の画像データへ復号化し、元のファクシミリ画情報と同一の符号化方式で再符号化した後に、転送している。これにより、ネットワークファクシミリ装置が備えている符号化復号化手段のデータエラーリカバリ機能を活用した上で、ファクシミリ画情報を転送でき、したがって、ユーザは、より画質の良好な画像を閲覧することができるという効果を得る。
【００６８】
また、非ＥＣＭモードで受信した場合にのみ、ファクシミリ画情報の再符号化を行った後に、指定されたフォルダへ転送するので、ＥＣＭモードで受信した場合には、処理時間を短縮することができ、より効率の良い通信動作が可能となるという効果も得る。
【００６９】
また、軽微な受信エラーが発生している場合には、符号化復号化手段のエラーリカバリ機能を利用して、ファクシミリ画情報のエラーを解消するようにしているので、転送されたファクシミリ画情報を閲覧するときに、表示される画像が乱れるような事態を回避することができるという効果も得る。
【図面の簡単な説明】
【図１】本発明の一実施例にかかるネットワークシステムを示したブロック図。
【図２】ネットワークファクシミリ装置ＦＸの構成例を示したブロック図。
【図３】転送設定情報（着信転送モードフラグ、および、転送先フォルダ名）の一例を示した概略図。
【図４】ワークステーション装置ＷＳ（ＷＳ１〜ＷＳｎ）の構成例を示したブロック図。
【図５】アナログ公衆回線網ＰＳＴＮを介して、他のグループ３ファクシミリ装置より画情報を受信する場合の、ネットワークファクシミリ装置ＦＸの処理の一例を示したフローチャート。
【図６】ファイル転送処理（処理１０８）の一例を示したフローチャート。
【図７】ファイル転送処理（処理１０８）の他の例を示したフローチャート。
【図８】ファイル転送処理（処理１０８）のさらに他の例を示したフローチャート。
【符号の説明】
ＦＸ  ネットワークファクシミリ装置
ＷＳ，ＷＳ１〜ＷＳｎ  ワークステーション装置
【図１】
2004320436.tif 000003
【図２】
2004320436.tif 000004
【図３】
2004320436.tif 000005
【図４】
2004320436.tif 000006
【図５】
2004320436.tif 000007
【図６】
2004320436.tif 000008
【図７】
2004320436.tif 000009
【図８】
2004320436.tif 000010